(57)【要約】  摂動磁場の分布形状を容易に形成できる荷電粒子周回装置用摂動装置を得る。【解決手段】  荷電粒子を周回させるための主磁場に対して摂動磁場を部分的に重ねることにより、荷電粒子の軌道に摂動を発生させ、入射した荷電粒子を安定周回閉軌道に取り込む。高周波コイルを備えた磁場発生装置１１３Ａ，１１３Ｂにより発生した磁場の漏れ磁場を利用して摂動磁場を形成する。
2007119538.tif 000002
【特許請求の範囲】
【請求項１】
荷電粒子を周回させるための主磁場に対して摂動磁場を部分的に重ねることにより、前記荷電粒子の軌道に摂動を発生させ、入射した前記荷電粒子を前記安定周回閉軌道に取り込む荷電粒子周回装置用摂動装置であって、  高周波コイルからなる磁場発生装置により発生した磁場の漏れ磁場を利用して前記摂動磁場が形成されていることを特徴とする荷電粒子周回装置用摂動装置。
【請求項２】
前記高周波コイルは、摂動磁場を形成する空間に向かって前記漏れ磁場を生じさせる開口部を有しており、前記開口部を形成する前記高周波コイルの導体端部には、前記漏れ磁場により前記摂動磁場の磁場分布の形状を決定する傾斜が付されていることを特徴とする請求項１に記載の荷電粒子周回装置用摂動装置。
【請求項３】
前記高周波コイルは、前記安定周回閉軌道の一部が通る所定の空間を介して対向する一対の内導体と該一対の内導体の外側に配置される外導体とを備えており、  前記一対の内導体と前記外導体とは電気的に直列接続され、  前記一対の内導体と前記外導体との間に発生した磁場を前記一対の内導体間の前記空間内に漏洩させて前記漏れ磁場とし、前記空間内に前記摂動磁場が形成されていることを特徴とする請求項１に記載の荷電粒子周回装置用摂動装置。
【請求項４】
前記一対の内導体と前記外導体とは、前記一対の内導体と前記外導体との間に前記一対の内導体の周囲を囲むように磁場を形成し、前記一対の内導体の間の前記空間内に前記磁場から漏れ出す前記漏れ磁場が入り込むようにそれぞれ構造が定められており、  前記一対の内導体の前記安定周回閉軌道の半径方向両側に位置する端部には、前記傾斜が付されている請求項３に記載の荷電粒子周回装置用摂動装置。
【請求項５】
前記外導体は、前記一対の内導体間に形成された前記空間の前記半径方向の両側に、前記空間と並んで、前記荷電粒子が通過し得る一対の別の空間を形成するようにその構造が定められている請求項４に記載の荷電粒子周回装置用摂動装置。
【請求項６】
前記磁場発生装置は、それぞれ高周波コイルからなる第１及び第２の分割磁場発生装置からなり、  前記第１及び第２の分割磁場発生装置は、前記安定周回閉軌道の一部が通る空間を間に形成するように前記半径方向に間隔をあけて配置されており、  前記第１及び第２の分割磁場発生装置は、前記空間内に漏れ磁場を入り込ませて前記空間内に前記摂動磁場を形成するように構成されていることを特徴とする請求項１に記載の荷電粒子周回装置用摂動装置。
【請求項７】
前記第１及び第２の分割磁場発生装置は、それぞれ、  間隔をあけて配置されて電気的に直列接続された内導体と外導体とを備え、  前記内導体と前記外導体とは、前記内導体と前記外導体との間に磁場を形成し、且つ前記外導体に形成されて前記半径方向に開口する開口部から前記漏れ磁場を出すように構造が定められている請求項６に記載の荷電粒子周回装置用摂動装置。
【請求項８】
前記第１及び第２の分割磁場発生装置で用いられる前記外導体の前記開口部の両側に位置する一対の導体端部の形状には、前記傾斜が付されていることを特徴とする請求項７に記載の荷電粒子周回装置用摂動装置。
【請求項９】
前記内導体は前記安定周回閉軌道の周方向及び前記半径方向と直交する直交方向に並ぶ一対の分割内導体からなり、  前記外導体は、前記安定周回閉軌道の前記周方向の両側にそれぞれ開口を有し、且つ前記半径方向に開口する前記開口部を備えて、前記一対の分割内導体の周囲を囲むように構成されており、  前記一対の分割内導体と前記外導体とは、前記一対の分割内導体の間に形成される間隔と前記開口部とが前記径方向に整列するように位置関係が定められている請求項７に記載の荷電粒子周回装置用摂動装置。
【請求項１０】
前記第１の分割磁場発生装置が前記第２の分割磁場発生装置よりも前記径方向内側に配置され、  前記第１の分割磁場発生装置の前記一対の分割内導体は、前記安定周回閉軌道の中心を中心として、前記周方向に沿い且つ前記半径方向に伸びて、前記安定周回閉軌道の内側に位置する一対の円弧状の導電板からなり、  前記第１の分割磁場発生装置の前記外導体は、前記開口部の前記直交方向両側に位置して、前記安定周回閉軌道の中心を中心として前記周方向に延び且つ前記直交方向にそれぞれ延びる一対の円弧状の導電板と、前記一対の分割内導体の前記直交方向の外側に位置し、前記半径方向外側の端部に前記円弧状の導電板が設けられ、前記周方向及び前記半径方向に延びる一対の導電性側板と、前記一対の導電性側板の前記半径方向内側の端部を連結する導電性連結板とからなり、  前記荷電粒子の通過の障害とならない位置で前記一対の分割内導体と前記外導体とが導電性短絡板により連結され、  前記第２の分割磁場発生装置の前記一対の分割内導体は、前記安定周回閉軌道の中心を中心として、前記周方向に沿い且つ前記半径方向に伸びて、前記安定周回閉軌道の外側に位置する一対の円弧状の導電板からなり、  前記第２の分割磁場発生装置の前記外導体は、前記開口部の前記直交方向両側に位置して、前記安定周回閉軌道の中心を中心として前記周方向に延び且つ前記直交方向にそれぞれ延びる一対の円弧状の導電板と、前記一対の分割内導体の前記直交方向の外側に位置し、前記半径方向外側の端部に前記円弧状の導電板が設けられ、前記周方向及び前記半径方向に延びる一対の導電性側板と、前記一対の導電性側板の前記半径方向外側の端部を連結する導電性連結板とからなり、  前記荷電粒子の通過の障害とならない位置で前記一対の分割内導体と前記外導体とが導電性短絡板により連結されている請求項９に記載の荷電粒子周回装置用摂動装置。
【請求項１１】
前記第１の分割磁場発生装置が前記第２の分割磁場発生装置よりも前記径方向内側に配置され、  前記第１の分割磁場発生装置の前記一対の分割内導体は、前記安定周回閉軌道の中心を中心として、前記周方向に沿い且つ前記半径方向に伸びて、前記安定周回閉軌道の内側に位置する一対の円弧状の導電板からなり、  前記第１の分割磁場発生装置の前記外導体は、前記開口部の前記直交方向両側に位置して、前記安定周回閉軌道の中心を中心として前記周方向に延び且つ前記直交方向にそれぞれ延びる一対の円弧状の導電板と、前記一対の分割内導体の前記直交方向の外側に位置し、前記半径方向外側の端部に前記円弧状の導電板が設けられ、前記周方向及び前記半径方向に延びる一対の導電性側板と、前記一対の導電性側板の前記半径方向内側の端部を連結する導電性連結板とからなり、  前記第２の分割磁場発生装置の前記一対の分割内導体は、前記安定周回閉軌道の中心を中心として、前記周方向に沿い且つ前記半径方向に伸びて、前記安定周回閉軌道の外側に位置する一対の円弧状の導電板からなり、  前記第２の分割磁場発生装置の前記外導体は、前記開口部の前記直交方向両側に位置して、前記安定周回閉軌道の中心を中心として前記周方向に延び且つ前記直交方向にそれぞれ延びる一対の円弧状の導電板と、前記一対の分割内導体の前記直交方向の外側に位置し、前記半径方向外側の端部に前記円弧状の導電板が設けられ、前記周方向及び前記半径方向に延びる一対の導電性側板と、前記一対の導電性側板の前記半径方向外側の端部を連結する導電性連結板とからなり、  前記荷電粒子の通過の障害とならない位置で前記一対の分割内導体と前記外導体とが導電性短絡板により連結され、  前記第１の分割磁場発生装置の前記一対の分割内導体と前記第２の分割磁場発生装置の前記一対の分割内導体とが電気的に直列接続され、前記第１の分割磁場発生装置の前記外導体と前記第２の分割磁場発生装置の前記外導体とが電気的に直列接続されていることを特徴とする請求項９に記載の荷電粒子周回装置用摂動装置。
【請求項１２】
前記磁場発生装置は、高周波コイルからなる磁場発生装置からなり、  前記高周波コイルからなる磁場発生装置は、前記安定周回閉軌道の一部が通る空間に隣接して配置されており、  前記高周波コイルからなる磁場発生装置は、前記空間内に漏れ磁場を入り込ませて前記空間内に前記摂動磁場を形成するように構成されていることを特徴とする請求項１に記載の荷電粒子周回装置用摂動装置。
【請求項１３】
前記高周波コイルからなる磁場発生装置は、間隔をあけて配置されて電気的に直列接続された内導体と外導体とを備え、  前記内導体と前記外導体とは、前記内導体と前記外導体との間に磁場を形成し、且つ前記外導体に形成されて前記半径方向に開口する開口部から前記漏れ磁場を出すように構造が定められている請求項１２に記載の荷電粒子周回装置用摂動装置。
【請求項１４】
前記高周波コイルからなる分割磁場発生装置で用いられる前記外導体の前記開口部の両側に位置する一対の導体端部の形状には、前記傾斜が付されていることを特徴とする請求項１３に記載の荷電粒子周回装置用摂動装置。
【請求項１５】
前記内導体は前記安定周回閉軌道の周方向及び前記半径方向と直交する直交方向に並ぶ一対の分割内導体からなり、  前記外導体は、前記安定周回閉軌道の前記周方向の両側にそれぞれ開口を有し、且つ前記半径方向に開口する前記開口部を備えて、前記一対の分割内導体の周囲を囲むように構成されており、  前記一対の分割内導体と前記外導体とは、前記一対の分割内導体の間に形成される間隔と前記開口部とが前記径方向に整列するように位置関係が定められている請求項１２に記載の荷電粒子周回装置用摂動装置。
【発明の詳細な説明】
【技術分野】
【０００１】  本発明は、荷電粒子を周回させるための主磁場に対して摂動磁場を部分的に重ねることにより、荷電粒子の軌道に摂動を発生させ、入射した荷電粒子を安定周回閉軌道に取り込む荷電粒子周回装置用摂動装置に関するものである。
【背景技術】
【０００２】  荷電粒子周回装置としては、シンクロトロン等が知られている。シンクロトロンには、例えば直径６０ｃｍ程度に小型化されたものもある。このような小型のシンクロトロン等の荷電粒子周回装置では、荷電粒子を周回させるための主磁場に対して摂動磁場を部分的に重ねることにより、荷電粒子の軌道に摂動を発生させ、入射した荷電粒子を安定周回閉軌道に取り込む荷電粒子周回装置用摂動装置が用いられている。この摂動装置は、パータベータとも呼ばれている。【０００３】  シンクロトロン等の荷電粒子周回装置は、安定周回閉軌道にパータベータ等の摂動装置を用いて摂動を発生させて、荷電粒子周回装置に入射した荷電粒子を安定周回閉軌道に取り込んだ後、安定周回閉軌道に配置した高周波加速空洞を用いて安定周回閉軌道を周回する荷電粒子を加速している。【０００４】  例えば、「放射光」Vol.15,No.3、pp.15-27に山田廣成が「卓上型シンクロトロン“みらくる-20”による新しいX線の発生」と題して発表した論文（非特許文献１）や、「住友重機械技報」Vol.1.39,No.116、August 1991 pp.11-18に高山猛等が「小型シンクロトロン放射光源“オーロラ”単体超電導リングの入射系」と題して発表した論文（非特許文献２）には、シンクロトロンで、荷電粒子を周回させるための主磁場に対して摂動磁場を部分的に重ねることにより、荷電粒子の軌道に摂動を発生させ、入射した荷電粒子を安定周回閉軌道に取り込む摂動装置が記載されている。【０００５】  このシンクロトロンと摂動装置の関係を図９及び図１０を用いて説明する。ここで、図９は摂動装置と高周波加速空洞とがシンクロトロンの安定周回閉軌道に対して配置されている状態を模擬的に示す図であり、図１０は安定周回閉軌道上を入射済みの荷電粒子が周回している状態を模擬的に示す図である。【０００６】  図９は、パータベータからなる摂動装置１と高周波加速空洞３とがシンクロトロンの安定周回閉軌道５に対して配置されている状態を模擬的に示しており、入射中にパータベータによる摂動を受けた荷電粒子の軌道も同時に描いている。図１０は、安定周回閉軌道５上を入射済みの荷電粒子、即ち蓄積中の電子ビームが電子バンチ（電子の集団）となって周回している状態を模擬的に示している。これらの図において、符号７は安定周回閉軌道５の中心に存在する中心軌道である。なお、図９及び図１０には、周回電子の軌道を形成し電子ビームの発散を防止する主磁石は図示を省略してある。【０００７】  このシンクロトロンでは、蓄積中の電子ビームに影響を及ぼさずに入射軌道を生成する共鳴入射法を使用している。共鳴入射法を使用して電子ビームを入射した場合、入射時には、電子が共鳴をしている状態になっており、電子のベータトロン振動の振幅が大きくなっている。電子のベータトロン振動の振幅が大きい状態で、高周波加速空洞３に高い高周波加速電圧が印加されると、電子は散乱して安定周回閉軌道５から電子が飛び出すことになる。【０００８】  そこで、摂動装置１により安定周回閉軌道５に摂動を発生させて電子（荷電粒子）を安定周回閉軌道５に取り込んだ後、電子（荷電粒子）のベータトロン振動が小さくなって電子（荷電粒子）が安定周回閉軌道５上を周回するようになるまでは、高周波加速空洞３による電子（荷電粒子）の加速は積極的には行わないようにしている。【０００９】  ところで、電子バンチ（電子の集団）の固まりの大きさは、電子エネルギーが高いと小さいが、電子エネルギーが低いと大きくなる。近年のシンクロトロンでは、電子エネルギーが低い状態で使用されるようになってきている。【非特許文献１】「放射光」Vol.15,No.3、pp.15-27に山田廣成が「卓上型シンクロトロン“みらくる-20”による新しいX線の発生」と題して発表した論文
【非特許文献２】「住友重機械技報」Vol.1.39,No.116、August 1991 pp.11-18に高山猛等が「小型シンクロトロン放射光源“オーロラ”単体超電導リングの入射系」と題して発表した論文
【発明の開示】
【発明が解決しようとする課題】
【００１０】  しかしながら、電子エネルギーが低い状態で使用され、電子バンチの固まりの大きさが大きくなると、従来の摂動装置では摂動範囲が狭いので荷電粒子を全体的に安定周回閉軌道に取り込むことができない問題点があった。【００１１】  また、電子バンチの固まりの大きさが大きくなると、従来の摂動装置では安定周回閉軌道上の電子バンチが摂動装置１を構成する導体部分に当たり、当たった荷電粒子が消滅してしまう問題点があった。【００１２】  本発明の目的は、摂動磁場の所望の分布形状を容易に形成できる荷電粒子周回装置用摂動装置を得ることにある。【００１３】  本発明の他の目的は、摂動磁場の所望の分布形状を正確に形成できる荷電粒子周回装置用摂動装置を得ることにある。【００１４】  本発明の他の目的は、電子バンチの大きさが大きくなっても、荷電粒子を容易に安定周回閉軌道に取り込むことができる荷電粒子周回装置用摂動装置を得ることにある。【００１５】  本発明の他の目的は、電子バンチの大きさが大きくなっても、この電子バンチが摂動装置に当たるのを防止できる荷電粒子周回装置用摂動装置を得ることにある。
【課題を解決するための手段】
【００１６】  本発明は、荷電粒子を周回させるための主磁場に対して摂動磁場を部分的に重ねることにより、荷電粒子の軌道に摂動を発生させ、入射した荷電粒子を安定周回閉軌道に取り込む荷電粒子周回装置用摂動装置を改良の対象とする。ここで、摂動装置は、摂動磁場により安定周回閉軌道に歪み（摂動）を発生させて荷電粒子を安定周回閉軌道に取り込み易くする構造を有するものである。なお安定周回閉軌道は、円形であってもまた非円形であってもよい。本願明細書では、安定周回閉軌道を荷電粒子が移動する方向を周方向と言い、安定周回閉軌道からその中心に向かう方向及びその中心から安定周回閉軌道に向かう方向を半径方向と言い、周方向と半径方向とに直交する方向を直交方向と言う。【００１７】  本発明に係る荷電粒子周回装置用摂動装置では、高周波コイルからなる磁場発生装置により発生した磁場の漏れ磁場を利用して摂動磁場を形成する。磁場発生装置により発生した磁場の漏れ磁場を利用して摂動磁場を形成すると、漏れ磁場の漏れの分布形状を変えることにより摂動磁場の所望の分布形状を容易に形成することができる。【００１８】  磁場を発生させるための高周波コイルは、漏れ磁場を作るために、摂動磁場を形成する空間に向かって開口する開口部を有している。そして開口部を間にして対向する高周波コイルの導体端部には、漏れ磁場により空間内に形成される磁場分布の形状を決定する傾斜が付されている。このように高周波コイルの導体端部に、磁場分布の形状を決定する傾斜を設け、この傾斜の形状または角度を変えることにより漏れ磁場の分布形状を変えると、摂動磁場の所望の分布形状を容易に且つ正確に形成することができる。【００１９】  漏れ磁場を発生する高周波コイルの構造は任意である。例えば、ある高周波コイルは、安定周回閉軌道の一部が通る所定の空間を介して対向する一対の内導体と該一対の内導体の外側に配置される外導体とを備えている。一対の内導体と外導体とは電気的に直列接続されている。そして一対の内導体と外導体との間に発生した磁場を、一対の内導体間の空間内に漏洩させて漏れ磁場とし、この空間内に摂動磁場を形成する。このような構造によれば、一つの高周波コイルを備えた磁場発生装置により発生した磁場からの漏れ磁場を利用して、一対の内導体間に摂動磁場を形成することができる。この漏れ磁場の分布形状を変えることにより、摂動磁場の分布形状を任意に定めることができる。【００２０】  より具体的には、一対の内導体と外導体とは、一対の内導体と外導体との間に一対の内導体の周囲を囲むように磁場を形成し、一対の内導体の間の空間内に磁場から漏れ出す漏れ磁場が入り込むようにそれぞれ構造が定められている。そして一対の内導体の安定周回閉軌道の半径方向両側に位置する端部には、前述の傾斜が付されている。この構造では、一対の内導体の端部を傾斜させることにより、一対の内導体間に形成される摂動磁場の分布形状を簡単に望ましい形状とすることができる。【００２１】  なおこの場合、外導体は、一対の内導体間に形成された空間の半径方向の両側に、この空間と並んで、荷電粒子が通過し得る一対の別の空間を形成するようにその構造を定めることができる。このような別の空間を形成すると、荷電粒子の軌道が半径方向に大きく変化した場合でも、荷電粒子が外導体に当たって損失するのを防止できる。【００２２】  磁場発生装置は、それぞれ高周波コイルからなる第１及び第２の分割磁場発生装置から構成することもできる。この場合、第１及び第２の分割磁場発生装置は、安定周回閉軌道の一部が通る空間を間に形成するように半径方向に間隔をあけて配置される。そして第１及び第２の分割磁場発生装置は、前記空間内に漏れ磁場を入り込ませて前記空間内に摂動磁場を形成するように構成されている。このように磁場発生装置を半径方向に離した第１及び第２の分割磁場発生装置から構成すると、電子バンチの大きさが大きくなっても、大きくなった電子バンチが磁場発生装置に当たるのを有効に防止することができる。【００２３】  なお第１及び第２の分割磁場発生装置は、それぞれ、間隔をあけて配置されて電気的に直列接続された内導体と外導体とを備えている。そして内導体と外導体とは、内導体と外導体との間に磁場を形成し、且つ外導体に形成されて半径方向に開口する開口部から漏れ磁場を出すように構造が定められている。このような構造にすると、開口部の大きさ及び形状と、第１及び第２の分割磁場発生装置間の距離とを適宜に定めることにより摂動磁場の磁場分布の形状を適宜に定めることができる。そこで第１及び第２の分割磁場発生装置で用いられる外導体の開口部の両側に位置する一対の導体端部にも、前述の傾斜を付すのが好ましい。【００２４】  なお内導体は安定周回閉軌道の周方向及び半径方向と直交する直交方向に並ぶ一対の分割内導体から構成することができる。この場合、外導体は、安定周回閉軌道の周方向の両側にそれぞれ開口を有し、且つ半径方向に開口する開口部を備えて、一対の分割内導体の周囲を囲むように構成する。そして一対の分割内導体と外導体とは、一対の分割内導体の間に形成される間隔と開口部とが半径方向に整列するように位置関係を定めるのが好ましい。このような構造にすると、半径方向に荷電粒子の軌道が大きく変動しても、荷電粒子が内導体及び外導体に当たる可能性が少なくなる。【００２５】  また第１の分割磁場発生装置を第２の分割磁場発生装置よりも半径方向内側に配置する場合には、第１の分割磁場発生装置と第２の分割磁場発生装置とを次のように構成することができる。すなわち第１の分割磁場発生装置の一対の分割内導体は、安定周回閉軌道の中心を中心として、周方向に沿い且つ半径方向に伸びて、安定周回閉軌道の内側に位置する一対の円弧状の導電板から構成できる。また第１の分割磁場発生装置の外導体は、一対の円弧状の導電板と、一対の導電性側板と、導電性連結板とから構成される。ここで一対の円弧状の導電板は、開口部の直交方向両側に位置して、安定周回閉軌道の中心を中心として周方向に延び且つ直交方向にそれぞれ延びる。また一対の導電性側板は、一対の分割内導体の直交方向の外側に位置し、半径方向外側の端部に前記円弧状の導電板が設けられ、周方向及び半径方向に延びる。さらに導電性連結板は、一対の導電性側板の半径方向内側の端部を連結する。なお荷電粒子の通過の障害とならない位置で、一対の分割内導体と外導体とが導電性短絡板により連結されている���【００２６】  また第２の分割磁場発生装置の一対の分割内導体も、安定周回閉軌道の中心を中心として、周方向に沿い且つ半径方向に伸びて、安定周回閉軌道の外側に位置する一対の円弧状の導電板から構成することができる。この場合、第２の分割磁場発生装置の外導体も一対の円弧状の導電板と、一対の導電性側板と、導電性連結板とから構成される。一対の円弧状の導電板は、開口部の直交方向両側に位置して、安定周回閉軌道の中心を中心として周方向に延び且つ直交方向にそれぞれ延びる。また一対の導電性側板は、一対の分割内導体の直交方向の外側に位置し、半径方向外側の端部に円弧状の導電板が設けられ、周方向及び半径方向に延びる。導電性連結板は、一対の導電性側板の半径方向外側の端部を連結する。そして荷電粒子の通過の障害とならない位置で、一対の分割内導体と外導体とが導電性短絡板により連結されている。【００２７】  第１及び第２の分割磁場発生装置をこのように構成すると、第１及び第２の分割磁場発生装置とが電気的に並列に接続されたのと同じ状態になり、それぞれの分割磁場発生装置の内導体から外導体にそれぞれ高周波電流を流すことにより、簡単な構造で、摂動磁場の形成に必要な所望の漏れ磁場を簡単な構造で形成することができる。【００２８】  また第１の分割磁場発生装置の内導体と外導体とを導電性短絡板で接続せずに、第１の分割磁場発生装置の内導体を構成する一対の分割内導体と第２の分割磁場発生装置の一対の分割内導体とを電気的に直列に接続し、第１の分割磁場発生装置の外導体と第２の分割磁場発生装置の外導体とを電気的に直列に接続してもよい。この場合には、第１の分割磁場発生装置と第２の分割磁場発生装置とが電気的に直列に接続された状態になっている。このようにしても必要な漏れ磁場を発生することができる。【００２９】  なお第１及び第２の分割磁場発生装置の一方だけを、独立した高周波コイルからなる磁場発生装置として用いてもよい。
【図面の簡単な説明】
【００３０】
【図１】本発明に係る荷電粒子周回装置用摂動装置の実施の形態の第一例を内部が透視できるように一方側から見た斜視図である。
【図２】第一例の荷電粒子周回装置用摂動装置の周方向の一端を示す端面図である。
【図３】第一例の荷電粒子周回装置用摂動装置の周方向の他端を示す端面図である。
【図４】一対の分割磁場発生装置により発生する摂動磁場の磁場強度分布の一例を示す図である。
【図５】第一例の荷電粒子周回装置用摂動装置の変形例の周方向の一端を示す端面図である。
【図６】第１及び第２の分割磁場発生装置の電気的な接続の異なる例を説明するために用いる図である。
【図７】本発明に係る荷電粒子周回装置用摂動装置の実施の形態の第二例を周方向の一方側から見た端面図である。
【図８】第二例の荷電粒子周回装置用摂動装置の図７のＸ−Ｘ線断面図である。
【図９】従来例で摂動装置と高周波加速空洞とがシンクロトロンの安定周回閉軌道に対して配置されている状態を模擬的に示す図である。
【図１０】従来例で安定周回閉軌道上を入射済みの荷電粒子が周回している状態を模擬的に示す図である。
【発明を実施するための最良の形態】
【００３１】  以下、本発明に係る荷電粒子周回装置用摂動装置を実施するための最良の形態を、図面を参照して詳細に説明する。【００３２】  本発明に係る荷電粒子周回装置用摂動装置は、荷電粒子を周回させるための主磁場に対して摂動磁場を部分的に重ねることにより、荷電粒子の軌道に摂動を発生させ、入射した荷電粒子を安定周回閉軌道に取り込むためのものである。【００３３】  図１乃至図４は本発明に係る荷電粒子周回装置用摂動装置の第一例を示したものである。図１は本例の荷電粒子周回装置用摂動装置を一方側から見た斜視図、図２は本例の荷電粒子周回装置用摂動装置を周方向の一端を示す端面図、図３は本例の荷電粒子周回装置用摂動装置の周方向の他端を示す端面図、図４は第１及び第２の分割磁場発生装置により発生する摂動磁場の磁場強度分布の一例を示す図である。なお、前述した図９及び図１０と対応する部分には、これらの図で使用した符号の数に１００の数を加えた数の符号を用いて示している。【００３４】  本例の荷電粒子周回装置用摂動装置１０１は、摂動磁場が形成される空間１０９ａ（図２）を間に形成するように、安定周回閉軌道１０５の半径方向１１１に間隔をあけて配置されたそれぞれ高周波コイルからなる第１及び第２の分割磁場発生装置１１３Ａ，１１３Ｂを備えている。これら第１及び第２の分割磁場発生装置１１３Ａ，１１３Ｂは、アルミニウム等の非磁性金属で形成されており、４〜５ＭＨｚの半パルスの高周波電流が通電されて、磁場を発生する。【００３５】  第１の分割磁場発生装置１１３Ａは、第２の分割磁場発生装置１１３Ｂよりも安定周回閉軌道１０５または中心軌道１０７の半径方向の内側に位置している。【００３６】  第１の分割磁場発生装置１１３Ａは、中心軌道１０７の方向に進む荷電粒子の移動方向即ち安定周回閉軌道１０５の周方向及び半径方向１１１と直角に交差する直交方向１１５に位置して通過可能範囲１０９ｂを間に挟む一対の分割内導体１１７Ａ，１１９Ａと、通過可能範囲１０９ｂと交わることがないように配置されて分割内導体１１７Ａ，１１９Ａと電気的に接続された外導体１２１Ａとを備えている。なお一対の分割内導体１１７Ａ，１１９Ａにより第１の分割磁場発生装置１１３Ａの内導体が構成されている。そして外導体１２１Ａは、安定周回閉軌道１０５の周方向の両側にそれぞれ開口を有し、且つ半径方向に開口する開口部１２２Ａを備えて、一対の分割内導体１１７Ａ，１１９Ａの周囲を囲むように構成されている。そして一対の分割内導体１１７Ａ，１１９Ａと外導体１２１Ａとは、一対の分割内導体１１７Ａ，１１９Ａの間に形成される間隔１１８Ａと開口部１２２Ａとが半径方向に整列するように位置関係が定められている。【００３７】  本例では、第１の分割磁場発生装置１１３Ａの一対の分割内導体１１７Ａ，１１９Ａは、安定周回閉軌道１０５または中心軌道１０７の中心を中心として、中心軌道１０７に沿い且つ半径方向１１１に伸びて、中心軌道１０７の内側に位置する一対の円弧状をした導電板から構成されている。また外導体１２１Ａは、一対の円弧状の導電板１２１Ａａ及び１２１Ａｂと、一対の導電性側板１２１Ａｃ及び１２１Ａｄと、導電性連結板１２１Ａｅとから構成され���。ここで一対の円弧状の導電板１２１Ａａ及び１２１Ａｂは、開口部１２２Ａの直交方向両側に位置して、安定周回閉軌道１０５の中心を中心として周方向に延び且つ直交方向にそれぞれ延びる。また一対の導電性側板１２１Ａｃ及び１２１Ａｄは、一対の分割内導体１１７Ａ，１１９Ａの直交方向の外側に位置し、周方向及び半径方向に延びる。一対の導電性側板１２１Ａｃ及び１２１Ａｄの半径方向外側の端部には、円弧状の導電板１２１Ａａ及び１２１Ａｂが設けられている。さらに導電性連結板１２１Ａｅは、一対の導電性側板１２１Ａｃ及び１２１Ａｄの半径方向内側の端部を連結する。荷電粒子の通過の障害とならない位置で、一対の分割内導体と外導体とが一対の導電性短絡板１２１Ａｆ及び１２１Ａｇにより連結されている。第１の分割磁場発生装置１１３Ａの一対の導電板１２１Ａａ，１２１Ａｂの端面は、傾斜面１２１Ａｈ，１２１Ａｉとなっている。なおこの例では、一対の分割内導体１１７Ａ，１１９Ａと、外導体１２１Ａと、導電性短絡板１２１Ａｆ，１２１Ａｇとで高周波コイルを構成している。【００３８】  第２の分割磁場発生装置１１３Ｂも、中心軌道１０７の方向に進む荷電粒子の移動方向即ち安定周回閉軌道１０５の周方向及び半径方向１１１と直角に交差する直交方向１１５に位置して通過可能範囲１０９ｂを間に挟む一対の分割内導体１１７Ｂ，１１９Ｂと、通過可能範囲１０９ｂと交わることがないように配置されて分割内導体１１７Ｂ，１１９Ｂと電気的に接続された外導体１２１Ｂとを備えている。なお一対の分割内導体１１７Ｂ，１１９Ｂにより第２の分割磁場発生装置１１３Ｂの内導体が構成されている。そして外導体１２１Ｂは、安定周回閉軌道１０５の周方向の両側にそれぞれ開口を有し、且つ半径方向に内側に向かって開口する開口部１２２Ｂを備えて、一対の分割内導体１１７Ｂ，１１９Ｂの周囲を囲むように構成されている。そして一対の分割内導体１１７Ｂ，１１９Ｂと外導体１２１Ｂとは、一対の分割内導体１１７Ｂ，１１９Ｂの間に形成される間隔１１８Ｂと開口部１２２Ｂとが半径方向に整列するように位置関係が定められている。【００３９】  本例では、第２の分割磁場発生装置１１３Ｂの一対の分割内導体１１７Ｂ，１１９Ｂは、安定周回閉軌道１０５の中心を中心として、中心軌道１０７に沿い且つ半径方向１１１に伸びて、中心軌道１０７の内側に位置する一対の円弧状をした導電板から構成されている。また外導体１２１Ｂは、一対の円弧状の導電板１２１Ｂａ及び１２１Ｂｂと、一対の導電性側板１２１Ｂｃ及び１２１Ｂｄと、導電性連結板１２１Ｂｅとから構成される。ここで一対の円弧状の導電板１２１Ｂａ及び１２１Ｂｂは、開口部１２２Ｂの直交方向両側に位置して、安定周回閉軌道１０５の中心を中心として周方向に延び且つ直交方向にそれぞれ延びる。また一対の導電性側板１２１Ｂｃ及び１２１Ｂｄは、一対の分割内導体１１７Ｂ，１１９Ｂの直交方向の外側にして、位置周方向及び半径方向に延びる。一対の導電性側板１２１Ｂｃ及び１２１Ｂｄの半径方向内側の端部には、円弧状の導電板１２１Ｂａ及び１２１Ｂｂが設けられている。さらに導電性連結板１２１Ｂｅは、一対の導電性側板１２１Ｂｃ及び１２１Ｂｄの半径方向外側の端部を連結する。荷電粒子の通過の障害とならない位置で、一対の分割内導体と外導体とが一対の導電性短絡板１２１Ｂｆ及び１２１Ｂｇにより連結されている。第２の分割磁場発生装置１１３Ｂの一対の導電板１２１Ｂａ，１２１Ｂｂの端面は、傾斜面１２１Ｂｈ，１２１Ｂｉとなっている。なおこの例では、一対の分割内導体１１７Ｂ，１１９Ｂと、外導体１２１Ｂと、導電性短絡板１２１Ｂｆ，１２１Ｂｇとで高周波コイルを構成している。【００４０】  第１の分割磁場発生装置１１３Ａの開口部１２２Ａを間にして対向する一対の導電板１２１Ａａ，１２１Ａｂの端面と、第２の分割磁場発生装置１１３Ｂの開口部１２２Ｂを間にして対向する一対の導電板１２１Ｂａ，１２１Ｂｂの端面とは、開口部１２２Ａ，１２２Ｂから離れるに従って２つの端面間の距離が広がるように、それぞれ傾斜している。したがってこれらの端面は、傾斜面１２１Ａｈ，１２１Ａｉと傾斜面１２１Ｂｈ，１２１Ｂｉとで構成されることになる。【００４１】  第１及び第２の分割磁場発生装置１１３Ａ，１１３Ｂの間に形成される空間１０９ａと、一対の導電板１２１Ａａ，１２１Ａｂ間の空間と、一対の導電板１２１Ｂａ，１２１Ｂｂ間の空間とに跨って形成される磁場分布の形状は、図４に示すように、空間１０９ａの中央において磁場強度が零になり、該中心の半径方向両側の磁場強度の極性が反対になる。【００４２】  このような第１及び第２の分割磁場発生装置１１３Ａ，１１３Ｂには、図示しないが中心軌道１０７の半径方向１１１と直交する直交方向１１５から主磁場が与えられる。この主磁場は、第１及び第２の分割磁場発生装置１１３Ａ，１１３Ｂが摂動磁場を発生していないときに、安定周回閉軌道１０５に入った荷電粒子が安定周回閉軌道１０５の中心軌道１０７に集まるように磁場強度分布が定められている。【００４３】  このように第１及び第の分割磁場発生装置１１３Ａ，１１３Ｂにより発生した磁場の漏れ磁場を利用して摂動磁場を形成すると、漏れ磁場の分布形状を変えることにより摂動磁場の分布形状を任意の形状に容易にすることができる。【００４４】  また、高周波コイルの一部を構成する外導体の導体端部に、磁場分布の形状を決定する傾斜が付されているので、この傾斜を変えることにより漏れ磁場の漏れの分布形状が変わり、摂動磁場の分布形状を容易に正確に形成することができる。【００４５】  なお本実施の形態によれば、一対の分割内導体１１７Ａ，１１９Ａ間の間隔１１８Ａと、一対の分割内導体１１７Ｂ，１１９Ｂ間の間隔１１８Ｂと、一対の導電板１２１Ａａ，１２１Ａｂ間の間隔（１２２Ａ）と、一対の導電板１２１Ｂａ，１２１Ｂｂ間の間隔（１２２Ｂ）とが一方向に整列しているので、荷電粒子の軌道が半径方向に大きく変化する場合でも、容易に安定周回閉軌道に荷電粒子を取り込むことができる。また第１及び第２の分割磁場発生装置１１３Ａ，１１３Ｂが半径方向に間隔をあけて配置されているので、直交方向に長い形状となる電子バンチが第１及び第２の分割磁場発生装置１１３Ａ，１１３Ｂに当たって、荷電粒子が消滅するのを防止できる。【００４６】  この摂動装置１０１は、図５に示すように、前述した図１乃至図４と同様な構成で、各一���の導電板１２１Ａａ，１２１Ａｂ、１２１Ｂａ，１２１Ｂｂの端部に傾斜面１２１Ａｈ，１２１Ａｉ、１２１Ｂｈ，１２１Ｂｉを設けない構造としてもよい。【００４７】  上記の実施の形態では、第１及び第２の分割磁場発生装置１１３Ａ，１１３Ｂとが電気的に並列に接続されたのと同じ状態になっており、それぞれの分割磁場発生装置の内導体から外導体にそれぞれ高周波電流を流すことにより、摂動磁場の形成に必要な漏れ磁場を形成している。しかしながら図６に示すように、第１の分割磁場発生装置１１３Ａの内導体１１７Ａ、１１９Ａと外導体１２１Ａとを導電性短絡板で接続せずに、第１の分割磁場発生装置１１３Ａの内導体を構成する一対の分割内導体１１７Ａ、１１９Ａと第２の分割磁場発生装置１１３Ｂの一対の分割内導体１１７Ｂ、１１９Ｂとを電気的に直列に接続し、第１の分割磁場発生装置１１３Ａの外導体１２１Ａと第２の分割磁場発生装置１１３Ｂの外導体１２１Ｂとを電気的に直列接続してもよい。この場合には、第１の分割磁場発生装置１１３Ａと第２の分割磁場発生装置１１３Ｂとが電気的に直列に接続された状態になっている。このようにしても必要な漏れ磁場を発生することができる。なお図６には、図１乃至図５に示した同じ部材には、図１乃至図５に付した符号と同じ符号を付してある。【００４８】  図７及び図８は本発明に係る荷電粒子周回装置用摂動装置の第２の実施の形態の構成を示したものである。図７は本例の荷電粒子周回装置用摂動装置の一方側からの端面図、図８は本例の荷電粒子周回装置用摂動装置の図７のＸ−Ｘ線断面図である。なお、前述した図１乃至図３と対応する部分には、これらの図で使用した符号に２００を加えた符号を用いて示している。この荷電粒子周回装置用摂動装置２０１も、荷電粒子を周回させるための図示しない主磁場に対して摂動磁場を部分的に重ねることにより、荷電粒子の軌道に摂動を発生させ、入射した荷電粒子を安定周回閉軌道２０５に取り込むものである。【００４９】  高周波コイルからなる磁場発生装置２０１は、安定周回閉軌道２０５の一部が通る所定の空間２１８を介して対向する一対の内導体２１７ａ，２１７ｂと該一対の内導体２１７ａ，２１７ｂの外側に配置される外導体２１３とを備えている。一対の内導体２１７ａ，２１７ｂと外導体２１３とは電気的に直列接続されている。そして一対の内導体２１７ａ，２１７ｂと外導体２１３との間に発生した磁場を、一対の内導体２１７ａ，２１７ｂ間の空間２１８内に漏洩させて漏れ磁場とし、この空間２１８内に摂動磁場を形成している。このような構造によれば、一つの磁場発生装置２０１により発生した１つの磁場からの漏れ磁場を利用して、一対の内導体間２１７ａ，２１７ｂに摂動磁場を形成することができる。この漏れ磁場の分布形状を変えることにより、摂動磁場の分布形状を任意に定めることができる。【００５０】  より具体的には、一対の内導体２１７ａ，２１７ｂと外導体２１３とは、一対の内導体２１７ａ，２１７ｂと外導体２１３との間に一対の内導体２１７ａ，２１７ｂの周囲を囲むように磁場を形成し、一対の内導体２１７ａ，２１７ｂの間の空間２１８内に磁場から漏れ出す漏れ磁場が入り込むようにそれぞれ構造が定めら��ている。そして一対の内導体２１７ａ，２１７ｂの安定周回閉軌道２０５の半径方向両側に位置する端部２１７Ａａ，２１７Ａｂ，２１７Ｂａ，２１７Ｂｂは、外導体２１３に近づくに従って間隔寸法が大きくなるようにそれぞれ傾斜している。この構造では、一対の内導体２１７ａ，２１７ｂの端部２１７Ａａ，２１７Ａｂ，２１７Ｂａ，２１７Ｂｂを傾斜させることにより、一対の内導体間２１７ａ，２１７ｂに形成される摂動磁場の分布形状を簡単に望ましい形状とすることができる。【００５１】  なお本実施の形態では、外導体２１３は、一対の内導体２１７ａ，２１７ｂ間に形成された空間２１８の半径方向の両側に、この空間２１８と並んで、荷電粒子が通過し得る一対の別の空間２２０Ａ及び２２０Ｂを形成するようにその構造が定められている。このような別の空間２２０Ａ及び２２０Ｂを形成すると、荷電粒子の軌道が半径方向に大きく変化した場合でも、荷電粒子が外導体に当たって損失するのを防止できる。【００５２】  なお本実施の形態の外導体２１３は、一対の内導体２１７ａ，２１７ｂにそれぞれ対向してこれらの外側に配置された第１及び第２の外導体構成部２１３Ａ，２１３Ｂとを備えている。第１及び第２の外導体構成部２１３Ａ，２１３Ｂとは図示していない部分で、電気的に接続されている。第１及び第２の外導体構成部２１３Ａ，２１３Ｂは、対応する一対の内導体２１７ａ，２１７ｂと半径方向で対向する内面を有して、半径方向の両側に位置する一対の導電板２２１Ａａ，２２１Ａｂ及び一対の導電板２２１Ｂａ，２２１Ｂｂをそれぞれ有している。一対の外導体構成部２１３Ａ，２１３Ｂの半径方向の両側に存在する各導電板２２１Ａａ，２２１Ａｂ及び２２１Ｂａ，２２１Ｂｂは、それぞれの側で通過可能範囲２０９を形成する間隔を介して対向され、一対の内導体２１７ａ，２１７ｂと一対の外導体構成部２１３Ａ，２１３Ｂといずれか一方の側で、電気的に直列接続されている。【００５３】  本実施の形態の摂動装置では、１つの磁場発生装置２０１により発生した磁場の漏れ磁場を利用して、摂動磁場を発生させることができる。但し、摂動磁場を一対の内導体２１７ａ，２１７ｂ間の空間２１８に発生することになるため、電子バンチが大きくなると、一対の内導体２１７ａ，２１７ｂに荷電粒子が当たるようになるので、電子バンチをなるべく大きくしない場合に使用するのに適している。【００５４】  なお上記実施の形態では、磁場発生装置を、それぞれ高周波コイルからなる第１及び第２の分割磁場発生装置から構成している。しかしながら高周波コイルからなる第１及び第２の分割磁場発生装置のいずれか一方のみを高周波コイルからなる磁場発生装置として用いてもよいのは勿論である。その場合において、磁場発生装置の構造は、第１及び第２の分割磁場発生装置のそれぞれの構造と基本的に、変わるところはない。そしてこの１つの磁場発生装置は、安定周回軌道の一部が通る空間に隣接して配置すればよい。
【産業上の利用可能性】
【００５５】  本発明に係る荷電粒子周回装置用摂動装置は、磁場発生装置により発生した磁場の漏れ磁場を利用して摂動磁場を形成するので、漏れ磁場の分布形状を変えることにより、所望の摂動磁場の分布形状を容易に形成することができる。
【図１】
2007119538.tif 000003
【図２】
2007119538.tif 000004
【図３】
2007119538.tif 000005
【図４】
2007119538.tif 000006
【図５】
2007119538.tif 000007
【図６】
2007119538.tif 000008
【図７】
2007119538.tif 000009
【図８】
2007119538.tif 000010
【図９】
2007119538.tif 000011
【図１０】
2007119538.tif 000012
【手続補正書】
【提出日】平成19年8月17日(2007.8.17)
【手続補正１】
【補正対象書類名】特許請求の範囲
【補正対象項目名】全文
【補正方法】変更
【補正の内容】
【特許請求の範囲】
【請求項１】
荷電粒子を周回させるための主磁場に対して摂動磁場を部分的に重ねることにより、前記荷電粒子の軌道に摂動を発生させ、入射した前記荷電粒子を安定周回閉軌道に取り込む荷電粒子周回装置用摂動装置であって、
高周波コイルからなる磁場発生装置により発生した磁場の漏れ磁場を利用して前記摂動磁場が形成されていることを特徴とする荷電粒子周回装置用摂動装置。
【請求項２】
前記高周波コイルは、摂動磁場を形成する空間に向かって前記漏れ磁場を生じさせる開口部を有しており、前記開口部を形成する前記高周波コイルの導体端部には、前記漏れ磁場により前記摂動磁場の磁場分布の形状を決定する傾斜が付されていることを特徴とする請求の範囲１に記載の荷電粒子周回装置用摂動装置。
【請求項３】
前記高周波コイルは、前記安定周回閉軌道の一部が通る所定の空間を介して対向する一対の内導体と該一対の内導体の外側に配置される外導体とを備えており、
前記一対の内導体と前記外導体とは電気的に直列接続され、
前記一対の内導体と前記外導体との間に発生した磁場を前記一対の内導体間の前記空間内に漏洩させて前記漏れ磁場とし、前記空間内に前記摂動磁場が形成されていることを特徴とする請求の範囲１に記載の荷電粒子周回装置用摂動装置。
【請求項４】
前記一対の内導体と前記外導体とは、前記一対の内導体と前記外導体との間に前記一対の内導体の周囲を囲むように磁場を形成し、前記一対の内導体の間の前記空間内に前記磁場から漏れ出す前記漏れ磁場が入り込むようにそれぞれ構造が定められており、
前記一対の内導体の前記安定周回閉軌道の半径方向両側に位置する端部には、前記漏れ磁場により前記摂動磁場の磁場分布の形状を決定する傾斜が付されている請求の範囲３に記載の荷電粒子周回装置用摂動装置。
【請求項５】
前記外導体は、前記一対の内導体間に形成された前記空間の前記半径方向の両側に、前記空間と並んで、前記荷電粒子が通過し得る一対の別の空間を形成するようにその構造が定められている請求の範囲４に記載の荷電粒子周回装置用摂動装置。
【請求項６】
前記磁場発生装置は、それぞれ高周波コイルからなる第１及び第２の分割磁場発生装置からなり、
前記第１及び第２の分割磁場発生装置は、前記安定周回閉軌道の一部が通る空間を間に形成するように前記安定周回閉軌道の半径方向に間隔をあけて配置されており、
前記第１及び第２の分割磁場発生装置は、前記空間内に漏れ磁場を入り込ませて前記空間内に前記摂動磁場を形成するように構成されていることを特徴とする請求の範囲１に記載の荷電粒子周回装置用摂動装置。
【請求項７】
前記第１及び第２の分割磁場発生装置は、それぞれ、
間隔をあけて配置されて電気的に直列接続された内導体と外導体とを備え、
前記内導体と前記外導体とは、前記内導体と前記外導体との間に磁場を形成し、且つ前記外導体に形成されて前記半径方向に開口する開口部から前記漏れ磁場を出すように構造が定められている請求の範囲６に記載の荷電粒子周回装置用摂動装置。
【請求項８】
前記第１及び第２の分割磁場発生装置で用いられる前記外導体の前記開口部の両側に位置する一対の導体端部の形状には、前記漏れ磁場により前記摂動磁場の磁場分布の形状を決定する傾斜が付されていることを特徴とする請求の範囲７に記載の荷電粒子周回装置用摂動装置。
【請求項９】
前記内導体は前記安定周回閉軌道の周方向及び前記半径方向と直交する直交方向に並ぶ一対の分割内導体からなり、
前記外導体は、前記安定周回閉軌道の前記周方向の両側にそれぞれ開口を有し、且つ前記半径方向に開口する前記開口部を備えて、前記一対の分割内導体の周囲を囲むように構成されており、
前記一対の分割内導体と前記外導体とは、前記一対の分割内導体の間に形成される間隔と前記開口部とが前記半径方向に整列するように位置関係が定められている請求の範囲７に記載の荷電粒子周回装置用摂動装置。
【請求項１０】
前記第１の分割磁場発生装置が前記第２の分割磁場発生装置よりも前記半径方向内側に配置され、
前記第１の分割磁場発生装置の前記一対の分割内導体は、前記安定周回閉軌道の中心を中心として、前記周方向に沿い且つ前記半径方向に伸びて、前記安定周回閉軌道の内側に位置する一対の円弧状の導電板からなり、
前記第１の分割磁場発生装置の前記外導体は、前記開口部の前記直交方向両側に位置して、前記安定周回閉軌道の中心を中心として前記周方向に延び且つ前記直交方向にそれぞれ延びる一対の円弧状の導電板と、前記一対の分割内導体の前記直交方向の外側に位置し、前記半径方向外側の端部に前記円弧状の導電板が設けられ、前記周方向及び前記半径方向に延びる一対の導電性側板と、前記一対の導電性側板の前記半径方向内側の端部を連結する導電性連結板とからなり、
前記荷電粒子の通過の障害とならない位置で前記一対の分割内導体と前記外導体とが導電性短絡板により連結され、
前記第２の分割磁場発生装置の前記一対の分割内導体は、前記安定周回閉軌道の中心を中心として、前記周方向に沿い且つ前記半径方向に伸びて、前記安定周回閉軌道の外側に位置する一対の円弧状の導電板からなり、
前記第２の分割磁場発生装置の前記外導体は、前記開口部の前記直交方向両側に位置して、前記安定周回閉軌道の中心を中心として前記周方向に延び且つ前記直交方向にそれぞれ延びる一対の円弧状の導電板と、前記一対の分割内導体の前記直交方向の外側に位置し、前記半径方向外側の端部に前記円弧状の導電板が設けられ、前記周方向及び前記半径方向に延びる一対の導電性側板と、前記一対の導電性側板の前記半径方向外側の端部を連結する導電性連結板とからなり、
前記荷電粒子の通過の障害とならない位置で前記一対の分割内導体と前記外導体とが導電性短絡板により連結されている請求の範囲９に記載の荷電粒子周回装置用摂動装置。
【請求項１１】
前記第１の分割磁場発生装置が前記第２の分割磁場発生装置よりも前記半径方向内側に配置され、
前記第１の分割磁場発生装置の前記一対の分割内導体は、前記安定周回閉軌道の中心を中心として、前記周方向に沿い且つ前記半径方向に伸びて、前記安定周回閉軌道の内側に位置する一対の円弧状の導電板からなり、
前記第１の分割磁場発生装置の前記外導体は、前記開口部の前記直交方向両側に位置して、前記安定周回閉軌道の中心を中心として前記周方向に延び且つ前記直交方向にそれぞれ延びる一対の円弧状の導電板と、前記一対の分割内導体の前記直交方向の外側に位置し、前記半径方向外側の端部に前記円弧状の導電板が設けられ、前記周方向及び前記半径方向に延びる一対の導電性側板と、前記一対の導電性側板の前記半径方向内側の端部を連結する導電性連結板とからなり、
前記第２の分割磁場発生装置の前記一対の分割内導体は、前記安定周回閉軌道の中心を中心として、前記周方向に沿い且つ前記半径方向に伸びて、前記安定周回閉軌道の外側に位置する一対の円弧状の導電板からなり、
前記第２の分割磁場発生装置の前記外導体は、前記開口部の前記直交方向両側に位置して、前記安定周回閉軌道の中心を中心として前記周方向に延び且つ前記直交方向にそれぞれ延びる一対の円弧状の導電板と、前記一対の分割内導体の前記直交方向の外側に位置し、前記半径方向外側の端部に前記円弧状の導電板が設けられ、前記周方向及び前記半径方向に延びる一対の導電性側板と、前記一対の導電性側板の前記半径方向外側の端部を連結する導電性連結板とからなり、
前記荷電粒子の通過の障害とならない位置で前記一対の分割内導体と前記外導体とが導電性短絡板により連結され、
前記第１の分割磁場発生装置の前記一対の分割内導体と前記第２の分割磁場発生装置の前記一対の分割内導体とが電気的に直列接続され、前記第１の分割磁場発生装置の前記外導体と前記第２の分割磁場発生装置の前記外導体とが電気的に直列接続されていることを特徴とする請求の範囲９に記載の荷電粒子周回装置用摂動装置。
【請求項１２】
前記磁場発生装置は、高周波コイルからなる磁場発生装置からなり、
前記高周波コイルからなる磁場発生装置は、前記安定周回閉軌道の一部が通る空間に隣接して配置されており、
前記高周波コイルからなる磁場発生装置は、前記空間内に漏れ磁場を入り込ませて前記空間内に前記摂動磁場を形成するように構成されていることを特徴とする請求の範囲１に記載の荷電粒子周回装置用摂動装置。
【請求項１３】
前記高周波コイルからなる磁場発生装置は、間隔をあけて配置されて電気的に直列接続された内導体と外導体とを備え、
前記内導体と前記外導体とは、前記内導体と前記外導体との間に磁場を形成し、且つ前記外導体に形成されて前記安定周回閉軌道の半径方向に開口する開口部から前記漏れ磁場を出すように構造が定められている請求の範囲１２に記載の荷電粒子周回装置用摂動装置。
【請求項１４】
前記高周波コイルからなる分割磁場発生装置で用いられる前記外導体の前記開口部の両側に位置する一対の導体端部の形状には、前記漏れ磁場により前記摂動磁場の磁場分布の形状を決定する傾斜が付されていることを特徴とする請求の範囲１３に記載の荷電粒子周回装置用摂動装置。
【請求項１５】
前記内導体は前記安定周回閉軌道の周方向及び前記半径方向と直交する直交方向に並ぶ一対の分割内導体からなり、
前記外導体は、前記安定周回閉軌道の前記周方向の両側にそれぞれ開口を有し、且つ前記半径方向に開口する前記開口部を備えて、前記一対の分割内導体の周囲を囲むように構成されており、
前記一対の分割内導体と前記外導体とは、前記一対の分割内導体の間に形成される間隔と前記開口部とが前記半径方向に整列するように位置関係が定められている請求の範囲１３に記載の荷電粒子周回装置用摂動装置。
【国際調査報告】
2007119538.tif 000013
2007119538.tif 000014